(57)【要約】【課題】ディスクの製造に要するコストを増大させることなく、かつ主情報の読み取り精度を悪化させることなく副情報を記録し、かつ、副情報自体の再生を、信頼性が高く、安定した読み取りを可能にする。【解決手段】追記マークが少なくとも一部に記録されている、所定領域の位置を特定する所定領域特定回路と、所定領域内に含まれる、複数のピット及びまたはランドの、個々の長さを検出するピット及びまたはランド長検出回路と、検出された前記各ピット及びまたはランド長が、所定の長さ以上であることを判別する、所定長判別回路を有し、前記所定の長さ以上であると判別された、ピット及びまたはランドの該中央部を第２情報の検出区間として、該第２情報検出区間の再生信号から、第２情報を再生する。【選択図】図３
2011198401.tif 000002
【特許請求の範囲】
【請求項１】
ピット及びランドが形成された光ディスクから第１の情報を再生するとともに、レーザ光の照射によって前記光ディスクの反射膜の光学的特性を変化させて形成された追記マークが、少なくとも一部に形成されている所定の領域から、第２の情報を再生する光ディスク再生装置であって、
前記ピット及びランドが円周方向に形成された螺旋状のトラックに従って前記レーザ光が照射される位置を制御するトラッキング制御手段と、
前記ピット及びランドに再生レーザを照射した反射光から再生信号を抽出する再生信号抽出手段と、前記再生信号から、前記第１情報を再生する第１情報再生手段と、前記所定領域の位置を特定する所定領域特定手段と、
前記追記マークが形成された部分、および前記所定領域内には、複数のピット及びランドが含まれており、前記所定領域内に含まれる、複数のピット及びまたはランドの、個々の長さを検出するピット及びまたはランド長検出手段と、
検出された前記各ピット及びまたはランド長が、所定の長さ以上であることを判別する、所定長判別手段と、
前記所定の長さ以上であると判別された、ピット及びまたはランドの概中央部を第２情報の検出区間として、前記第２情報検出区間の再生信号から、前記第２情報を再生する第２情報再生手段、とを有することを特徴とする光ディスク再生装置。
【請求項２】
第１の情報は、最小反転距離が２のランレングス制限符号で変調されており、前記第１情報再生手段は、ＰＲ（１，２，２，１）方式の波形等価を用いて第１情報を再生し、前記所定の長さは、前記最小反転距離の２に対して、５以上であることを特徴とする請求項１記載の光ディスク再生装置。
【請求項３】
第２情報の１ビットは、複数の前記所定の領域に跨って記録されていることを特徴とする請求項１記載の光ディスク再生装置。
【請求項４】
追記マークは、前記光ディスクの反射率を微小に変化させることで形成されたことを特徴とする請求項１記載の光ディスク再生装置。
【請求項５】
前記微小な反射率変化は、前記第１情報再生手段による、第１情報の再生時に、再生エラーにならない範囲で、前記光ディスクの反射率を変化させることを特徴とする請求項４記載の光ディスク再生装置。
【請求項６】
前記反射率変化は、前記追記マークの未記録の再生信号振幅に対して、１０％未満の反射率の変化であることを特徴とする、請求項５記載の光ディスク再生装置。
【請求項７】
第２情報再生手段は、前記第２情報検出区間からの再生信号の再生信号レベルを、所定基準と比較することで、第２情報を再生することを特徴とする請求項６記載の光ディスク再生装置。
【請求項８】
追記マークは、前記所定の領域の１／２の長さを有し、前記所定の領域の前半部、或いは後半部のいずれかに形成されていることを特徴とする請求項４記載の光ディスク再生装置。
【請求項９】
第２情報再生手段は、前記所定の領域の前半部、および後半部ごとに、前記第２情報検出区間からの再生信号の再生信号レベルを積算し、各々の大小関係に基づいて、第２情報を再生することを特徴とする請求項８記載の光ディスク再生装置。
【請求項１０】
第２情報検出区間からの再生信号の再生信号レベルを積算する際に、前記第２情報検出区間の積算回数を計数する積算回数計数手段をさらに備え、積算する回数を前記所定の領域の前半部と後半部で等しくし、前記第２情報を検出することを特徴とする、請求項９記載の光ディスク再生装置。
【請求項１１】
ピット及びランドが形成された光ディスクから第１の情報を再生するとともに、レーザ光の照射によって前記光ディスクの反射膜の光学的特性を変化させて形成された追記マークが、少なくとも一部に形成されている所定の領域から、第２の情報を再生する光ディスク再生方法であって、
前記ピット及びランドが円周方向に形成された螺旋状のトラックに従って前記レーザ光が照射される位置を制御するトラッキング制御ステップと、
前記ピット及びランドに再生レーザを照射した反射光から再生信号を抽出する再生信号抽出ステップと、前記再生信号から、前記第１情報を再生する第１情報再生ステップと、前記所定領域の位置を特定する所定領域特定ステップと、
前記追記マークが形成された部分、および前記所定領域内には、複数のピット及びランドが含まれており、前記所定領域内に含まれる、複数のピット及びまたはランドの、個々の長さを検出するピット及びまたはランド長検出ステップと、
検出された前記各ピット及びまたはランド長が、所定の長さ以上であることを判別する、所定長判別ステップと、
前記所定の長さ以上であると判別された、ピット及びまたはランドの概中央部を第２情報の検出区間として、前記第２情報検出区間の再生信号から、前記第２情報を再生する第２情報再生ステップ、とを有することを特徴とする光ディスク再生方法。
【請求項１２】
第１の情報は、最小反転距離が２のランレングス制限符号で変調されており、前記第１情報再生ステップは、ＰＲ（１，２，２，１）方式の波形等価を用いて第１情報を再生し、前記所定の長さは、前記最小反転距離の２に対して、５以上であることを特徴とする請求項１１記載の光ディスク再生方法。
【請求項１３】
第２情報の１ビットは、複数の前記所定の領域に跨って記録されていることを特徴とする請求項１１記載の光ディスク再生方法。
【請求項１４】
追記マークは、前記光ディスクの反射率を微小に変化させることで形成されたことを特徴とする請求項１１記載の光ディスク再生方法。
【請求項１５】
前記微小な反射率変化は、前記第１情報再生ステップによる、第１情報の再生時に、再生エラーにならない範囲で、前記光ディスクの反射率を変化させることを特徴とする請求項１４記載の光ディスク再生方法。
【請求項１６】
前記反射率変化は、前記追記マークの未記録の再生信号振幅に対して、１０％未満の反射率の変化であることを特徴とする、請求項１５記載の光ディスク再生方法。
【請求項１７】
第２情報再生ステップは、前記第２情報検出区間からの再生信号の再生信号レベルを、所定基準と比較することで、第２情報を再生することを特徴とする請求項１６記載の光ディスク再生方法。
【請求項１８】
追記マークは、前記所定の領域の１／２の長さを有し、前記所定の領域の前半部、或いは後半部のいずれかに形成されていることを特徴とする請求項１４記載の光ディスク再生方法。
【請求項１９】
第２情報再生ステップは、前記所定の領域の前半部、および後半部ごとに、前記第２情報検出区間からの再生信号の再生信号レベルを積算し、各々の大小関係に基づいて、第２情報を再生することを特徴とする請求項１８記載の光ディスク再生方法。
【請求項２０】
第２情報検出区間からの再生信号の再生信号レベルを積算する際に、前記第２情報検出区間の積算回数を計数する積算回数計数ステップをさらに備え、積算する回数を前記所定の領域の前半部と後半部で等しくし、前記第２情報を検出することを特徴とする、請求項１９記載の光ディスク再生方法。
【発明の詳細な説明】
【技術分野】
【０００１】
本発明は、ＣＤ、ＤＶＤ及びＢｌｕ−ｒａｙディスク等の光ディスクから情報を再生する光ディスク再生装置、および光ディスク再生方法に関するものである。
【背景技術】
【０００２】
従来、光ディスクは、安価なデジタル情報の記録媒体として、幅広く利用されている。また、技術の進歩に伴い、年々高密度化が進み、例えば、ＣＤ、からＤＶＤ、さらにＢｌｕ−ｒａｙディスクといった、より、大容量化が近年進んでいる。一方、光ディスク容量が増すことで、１枚の光ディスクに記録されるデジタルコンテンツの価値は高まり、記録されるデジタルコンテンツの著作権の保護が極めて重要な技術課題となっている。 
【０００３】
しかしながら、昨今では、光ディスクから不正にデジタルコンテンツを複製する海賊版メーカのような違法な光ディスク製造業者が氾濫している。このことは、デジタル著作物の健全な流通を阻害するとともに、著作権者への正当な利益分配が成されない状況を作り出している。 
【０００４】
そこで、コンテンツデータそのものが記録される第１情報を主情報とし、第1情報を再生するために必要な、例えば第1情報の暗号化鍵等の第２情報を、副情報として、第1情報に重畳記録する方式が、各種提案されている。
【０００５】
例えば、特許文献１には、凹凸マークによってデジタル著作物が記録された光ディスクにおいて、案内溝にトラッキングを行ったレーザ照射によって凹凸マーク上の再生膜の反射率を変化させる技術が開示されている。 
【０００６】
この特許文献１に記載の光ディスクを用いることにより、例えばレンタル等に利用される光ディスクであっても、回収を必要としない光ディスクを提供することができる。 
【０００７】
また、例えば、特許文献２には、凹凸マークの内、所定長さ以上のマークまたはスペースについて、副のデータ列に基づいて、マークまたはスペースのエッジより所定距離だけ離間した箇所で、局所的に情報記録面の反射率を変化させて、副情報を記録する技術が開示されている。 
【０００８】
この特許文献２に記載の発明によれば、凹凸マークのエッジの位置情報に影響を与えないタイミングで、マークまたはスペースの反射率を局所的に変化させる。したがって、マーク列で表される主のデータ列の光ピックアップによる再生に何ら影響を与えることなく、かつ違法コピーを困難にする副情報を記録することができる。 
【０００９】
また、例えば、特許文献３には、変調された主情報に従って、チャネルビット長の整数倍に同期した凹凸マークを形成した後、前記凹凸マーク上に反射膜を形成した光ディスクに対して、凹凸マークの最長マークよりも長い間隔で、かつチャネルビット長の整数倍に同期したレーザ光を照射することによって、反射膜の反射率を微小に変化させて追記マークを形成する技術が開示されている。 
【００１０】
この特許文献３に記載の発明によれば、主情報の読み取り精度を悪化させることなく、主情報を再生するのに必要な副情報を記録することができ、光ディスクの不正な複製を防止することができる。 
【００１１】
しかしながら、これらの方法によっても、光ディスクの製造に要するコストを増大させることなく、かつ主情報の読み取り精度を悪化させることなく、不正複製を防止しながら光ディスクの媒体固有情報を記録することは困難である。また、主情報の記録領域を犠牲にすること無しに、かつ効率的に、不正複製を防止しながら光ディスクの媒体固有情報を記録することは困難である。さらに、副情報自体の再生を、信頼性が高く、安定した読み取りを保証することは、困難である。   
【００１２】
何故ならば、特許文献１で開示された発明においては、光ディスク上に一定以上の強度の記録レーザを照射して、その照射部分の反射率を変化させるために予め光ディスク上に案内溝を形成することが開示されている。通常、案内溝と凹凸マークとが形成された光ディスクを作成する場合、光ディスク原盤上に、凹凸マークを記録した後に、凹凸マークを真ん中の位置にするように再度、案内溝を記録するか、案内溝を記録した後に凹凸マークを記録する必要がある。しかしながら、Ｂｌｕ−ｒａｙディスクの場合、これらトラック間の位置あわせは、半径方向に数十ナノメートルオーダーの精度が必要となり、通常のマスタリング装置では案内溝と凹凸マークとをともに記録することは困難である。これを実現するためには、特殊なマスタリング装置が必要になり、光ディスクの製造に要するコストの増大は避けられない。 
【００１３】
また、特許文献２で開示された発明においては、所定長さ以上のマークまたはスペースのマークエッジから所定距離だけ離間した箇所にレーザ照射を行っている。そのため、予め所定長さ以上のマーク又はスペースを検索して記憶する必要があり、副情報を記録する記録時間を無駄に消費し、光ディスクの製造に要するコストが増大する。また、予め所定長さ以上のマーク又はスペースの存在が分かっている例えば同期符号部のみに副情報を記録する場合、百数十ビットもの媒体固有情報を記録するためには、それ相応の記録領域が必要となる。そのため、この場合においても記録時間又は再生時間を無駄に消費してしまう。 
【００１４】
また、特許文献３で開示された発明においては、追記マーク部の反射率変化を微小変化に留めることで、主情報の読み取り精度を悪化させないことは可能であるが、一方、反射率変化が微小なため、相対的に変化が大きい凹凸マークからの再生信号が外乱となり、副情報自体の読み取り精度が悪化する。
【先行技術文献】
【特許文献】
【００１５】
【特許文献１】特開平９−３０６０３０号公報
【特許文献２】特許第３４５４４１０号公報
【特許文献３】国際公開第２００７／１３９０７７号
【発明の概要】
【発明が解決しようとする課題】
【００１６】
本発明は、上記の問題を解決するためになされたもので、光ディスクの製造に要するコストを増大させることなく、かつ主情報の読み取り精度を悪化させることなく副情報を記録し、さらに、副情報自体の再生を、信頼性が高く、安定した読み取りを可能にする光ディスク再生装置、および光ディスク再生方法を提供することを目的とするものである。
【課題を解決するための手段】
【００１７】
上記の課題を解決するために、本発明の光ディスク再生装置は、ピット及びランドが形成された光ディスクから第１の情報を再生するとともに、レーザ光の照射によって前記光ディスクの反射膜の光学的特性を変化させて形成された追記マークが、少なくとも一部に形成されている所定の領域から、第２の情報を再生する光ディスク再生装置であって、前記ピット及びランドが円周方向に形成された螺旋状のトラックに従って前記レーザ光が照射される位置を制御するトラッキング制御手段と、前記ピット及びランドに再生レーザを照射した反射光から再生信号を抽出する再生信号抽出手段と、前記再生信号から、前記第１情報を再生する第１情報再生手段と、前記所定領域の位置を特定する所定領域特定手段と、前記追記マークが形成された部分、および前記所定領域内には、複数のピット及びランドが含まれており、前記所定領域内に含まれる、複数のピット及びまたはランドの、個々の長さを検出するピット及びまたはランド長検出手段と、検出された前記各ピット及びまたはランド長が、所定の長さ以上であることを判別する、所定長判別手段と、前記所定の長さ以上であると判別された、ピット及びまたはランドの該中央部を第２情報の検出区間として、該第２情報検出区間の再生信号から、前記第２情報を再生する第２情報再生手段とを、有することを特徴に備えたものである。
【００１８】
また、本発明の光ディスク再生方法は、ピット及びランドが形成された光ディスクから第１の情報を再生するとともに、レーザ光の照射によって前記光ディスクの反射膜の光学的特性を変化させて形成された追記マークが、少なくとも一部に形成されている所定の領域から、第２の情報を再生する光ディスク再生方法であって、前記ピット及びランドが円周方向に形成された螺旋状のトラックに従って前記レーザ光が照射される位置を制御するトラッキング制御ステップと、前記ピット及びランドに再生レーザを照射した反射光から再生信号を抽出する再生信号抽出ステップと、前記再生信号から、前記第１情報を再生する第１情報再生ステップと、前記所定領域の位置を特定する所定領域特定ステップと、前記追記マークが形成された部分、および前記所定領域内には、複数のピット及びランドが含まれており、前記所定領域内に含まれる、複数のピット及びまたはランドの、個々の長さを検出するピット及びまたはランド長検出ステップと、検出された前記各ピット及びまたはランド長が、所定の長さ以上であることを判別する、所定長判別ステップと、前記所定の長さ以上であると判別された、ピット及びまたはランドの該中央部を第２情報の検出区間として、該第２情報検出区間の再生信号から、前記第２情報を再生する第２情報再生ステップとを、有することを特徴に備えたものである。
【発明の効果】
【００１９】
本発明の光ディスク再生装置、および光ディスク再生方法によれば、光ディスクの製造に要するコストを増大させることなく、かつ主情報の読み取り精度を悪化させることなく副情報を記録し、かつ、副情報自体の再生を、信頼性が高く、安定した読み取りを可能にすることができ、光ディスクの不正な複製を防止することができる。
【図面の簡単な説明】
【００２０】
【図１】実施の形態１における光ディスク再生装置に用いられる、光ディスクの外観図
【図２】実施の形態１における光ディスクの構成図
【図３】実施の形態１における光ディスク再生装置の構成図
【図４】実施の形態１における光ディスクの記録面を示す概念図
【図５】実施の形態１における光ディスクの理想的な波形を示す概念図
【図６】実施の形態１における光ディスクの理想的な波形を示す概念図
【図７】実施の形態１における光ディスクの記録面を示す概念図
【図８】実施の形態２における光ディスク再生方法の構成図
【図９】実施の形態１における積算処理の詳細を説明するタイミング図
【図１０】実施の形態１における積算処理の詳細を説明するタイミング図
【発明を実施するための形態】
【００２１】
以下、本発明の実施の形態について、図面を参照しながら説明する。
【００２２】
（実施の形態１）
図１は、本発明の実施の形態１における光ディスク再生装置に用いられる、光ディスクの外観図である。
【００２３】
図１において、１０１は、光ディスクであり、凹凸状のピット及びランドが、同心円状、或いはスパイラル状に形成され、コンテンツデータ等の第１情報が、記録されている。１０２は、追記マークであり、レーザ光の照射によって光ディスク１０１の反射膜の光学的特性を変化させて形成されており、第１情報を再生するための、例えば鍵情報等の、第２情報が記録されている。例えば、反射膜の反射率の変化や、反射膜の透過率の変化、屈折率変化、あるいは、物理的な形状変化等、を行うことで、光学的特性を変化させることができる。
【００２４】
図２は、光ディスク１０１のデータ構造を示す構成図であり、ピット及びランドの形成によって記録された、第１情報は、複数のＥＣＣブロック、例えば２０１、２０２に分割して記録されている。ＥＣＣブロックは、媒体の傷や埃等に起因する誤りを訂正する際の最小単位であり、一般的に、記録や再生の単位としても用いられる。
【００２５】
また、各ＥＣＣブロックは、複数のセクタ、例えば２０３、２０４に分割され、さらに、各セクタは、複数のフレームに分割される。各セクタには、セクタのアドレス情報が付加されている。また、各フレームの先頭部には、記録データの変調符号で発生しない所定パターンが形成された、図示しないＳＹＮＣマークが付加されており、これらのアドレス情報やＳＹＮＣマークは、再生時のフォーマット同期に用いられる。
【００２６】
各セクタは、フレーム０からフレーム２５の計２６フレームから構成されている。また、これらの、各ＥＣＣブロック、あるいは各セクタには、アドレス情報が付加されており、再生時には、このアドレス情報を再生することで、所望のアドレスから、データを再生できることが可能な構成になっている。
【００２７】
図２において、２０６、および２０７は、追記マークである。本実施の形態においては、追記マークは、特定のＥＣＣブロック２０２の、各セクタのフレーム１３に記録されている。ここでは、各フレーム１３において、ＳＹＮＣマークから、所定のバイト数の位置から、所定バイト長の、追記マークを記録する所定領域２０５が予め定まっており、所定領域の、前半部、あるいは後半部のいずれかに、追記マークが記録されている。
【００２８】
追記マーク２０６は、所定領域２０５の後半部に記録されており、追記マーク２０７は、所定領域２０５の前半部に記録される。例えば、所定領域２０５の、前半部に記録することで１の記録、後半部に記録することで０の記録とすることで、一つの所定領域で、１ビットの第２情報を記録することができる。また、逆に、追記マークが前半部、あるいは後半部の、いずれに記録されているかを判別することで、第２情報の再生が可能になる。
【００２９】
また、ここでは、１ビットの第２情報を、１つの所定領域に記録する場合の例を説明したが、複数の所定領域に跨って、１ビットの第２情報を記録しても良く、容易に拡張が可能である。この場合、追記マークが記録される領域が大きくなり、再生する際の、１ビットの検出精度を上げることができる。
【００３０】
以上の光ディスク１０１では、コンテンツデータ等の第１情報は、凹凸状のピット及びランドで記録されている。また、第２情報は、所定の領域の少なくとも一部に、追記マークを記録することで記録されている。
【００３１】
図４は、追記マークが未記録状態（ａ）、および、追記マークの記録状態（ｂ）の、それぞれ、ピットとランドの記録面を示す概念図である。
【００３２】
図４において、４０１および４０３はピット、４０２および４０４はランド、４０５は追記マークである。
【００３３】
図４において、ピット４０１、４０３および、ランド４０２、４０４は、交互にかつ連続的に円周方向に形成されることで、トラックが形成されている。
【００３４】
図４の（ｂ）は、未記録状態（ａ）のピットとランドの上に、追記マーク４０５が形成された様子を示しており、追記マーク４０５は、複数のピット４０３とランド４０４に跨って、形成されている。
【００３５】
追記マーク４０５は、下地となるピット４０３およびランド４０４の、各々の長さや並び、あるいはパターン等に依存せず、予め定めた、所定領域の前半部、あるいは後半部のいずれかに追記マークを連続的に記録される。
【００３６】
この結果、追記マークの記録時に、ピットやランドの長さ情報を予め知る必要がなく、また、ＳＹＮＣマーク等の既知の特定パターンを必要とせずに、記録することが出来、光ディスクの製造に要するコストを増大させることなく追記マークを記録できる。  
【００３７】
また、実施の形態１では、第１情報は、例えば、公知の（１，７）変調等の、最小反転距離が２のランレングス制限符号で変調され、変調符号をｎｒｚｉ変換して、０、１のそれぞれを、ピットあるいはランドに割り当てて、記録されている。  従って、各ピット４０１、４０３、及びランド４０２、４０４は、変調符号の１時間単位をＴとすると、２Ｔから８Ｔの長さとなる。
【００３８】
高密度化が進んでいる光ディスクでは、これらの各ピットやランドの実際の長さは、１μｍ以下の非常に小さいものとなっており、これらのピットやランドからの再生信号には、符号間干渉による波形歪が生じる。符号間干渉の大きい再生信号においても誤り率の低いデータを得るため、近年高密度化が進む光ディスク記録再生装置において、その再生信号処理方式にＰＲＭＬ信号処理方式が採用されることが多くなっている。ＰＲＭＬ信号処理では、記録再生系の特性に応じたＰＲ方式で再生信号を波形等化し、ビタビ復号器等の最尤復号（ＭＬ）によって復号処理を行う。以下の説明では、記録再生系の特性が、ＰＲ（１，２，２，１）に従うものを例に説明する。記録符号Ｂ（ｋ）（ｋは時刻を表す）とＰＲ等化出力の振幅値Ｙ（ｋ）は、式１で表される。
【００３９】
［式１］    Ｙ（ｋ）＝Ｂ（ｋ−３）＋２×Ｂ（ｋ−２）＋２×Ｂ（ｋ−１）＋Ｂ（ｋ）
図５は、２Ｔから８Ｔまでの、各長さの孤立ピットからの再生信号の、理想的な波形を示す概念図である。
【００４０】
図５において、５０１は、各ピットの長さに対応した、２Ｔから８Ｔの再生波形である。  再生波形５０１では、その信号レベルが一定になる安定区間５０２が存在する。ここでは、５Ｔより長いピットからの再生波形は、信号レベルが６で一定となっている。安定区間５０２の長さは、８Ｔ信号が最大となり、ピットが短くなるに従い小さくなっている。また、安定区間５０２は、各ピットの概中央部で安定する。
【００４１】
図６は、追記マークを記録した場合の、２Ｔから８Ｔまでの、各長さの孤立ピットからの再生信号の、理想的な波形を示す概念図である。
【００４２】
図６において、破線で示す６０１は、未記録部の再生波形であり、図５の再生波形５０１と同じである。実線で示す６０２は記録部の再生波形である。ここでは、追記マークを記録することで、光ディスクの反射率が微小に高くなる例を示しており、記録部の再生波形６０２に示すように、追記マークを記録することで、各ピットからの各再生波形の信号レベルが、高くなっている。
【００４３】
また、記録部の再生波形６０１では、図５で説明した、未記録部の再生波形と同様に、その信号レベルが一定になる安定区間が存在している。ここでは、５Ｔより長いピットからの再生波形は、信号レベルが６を少し超えた所で、一定となっている。また、各安定区間は、各ピットの概中央部で安定している。
【００４４】
追記マークは、光ディスクの反射率の微小変化により記録する。記録による反射率変化を微小に抑えることにより、図４の（ｂ）に示すように、複数のピットおよびランドの跨って記録したとしても、ピット、及びランドからの再生信号の変化が小さくでき、第１情報の読み取りに、悪影響を及ぼすことなく、再生することができる。およそ１０％程度以下の反射率変化の場合、第１情報の読み取りに、エラーを起こすことなく、再生することができる。
【００４５】
一方、第２情報の検出は、前記微小な反射率変化を検出して再生しなければならない。実施の形態１では、微小変化を安定して、信頼性高く検出するために、信号レベルが一定となる安定区間のみを、第２情報の検出区間として、第２情報の信号検出に用いる。安定区間では、未記録の場合も追記マークが記録された場合も、その信号レベルは、各々一定となっているため、それぞれの信号レベルを検出することが容易になり、信頼性高い再生を行うことが可能となっている。
【００４６】
さらに、実施の形態１では、後で説明するように、単に、再生波形のレベル差を検出するのでなく、複数のピット、あるいはランドに跨って追記マークを記録し、そこに含まれる複数のピットあるいはランドの、各第２情報の検出区間における信号レベル値を加算処理することで、さらに信頼性の高い、第２情報の検出を行うことを可能にしている。加算処理は、各波形の長さに依存して、その信号レベルを加算する。
【００４７】
例えば、６０３は、８Ｔ信号の安定区間であり、８Ｔ信号の場合の、第２情報の検出区間となる。８Ｔ信号の場合、その信号レベルが安定している区間は、４Ｔ分の長さがある。そこで、再生信号を４回サンプルし、その各信号レベルを加算する。
【００４８】
また、６０４は、５Ｔ信号の安定区間であり、５Ｔ信号の場合の、第２情報の検出区間となる。５Ｔ信号の場合、その信号レベルが安定している区間は、１Ｔ分の長さがある。そこで、再生信号を１回サンプルし、その信号レベルを１回加算する。同様に、６Ｔ信号の場合、再生信号を２回加算し、７Ｔ信号の場合、３回加算する。
【００４９】
図７は、追記マークの記録状態の、ピットとランドの記録面を示す概念図である。
【００５０】
図７において、７０１は追記マークである。７０２から７０６は、各々、５Ｔ、２Ｔ、４Ｔ、８Ｔ、２Ｔの長さのピットである。前記したように、５Ｔより長いピットの概中央部が、第２情報の検出区間となる。７０６は、５Ｔピットの第２情報の検出区間であり、７０７は、８Ｔピットの第２情報検出区間である。５Ｔ未満の長さのピットには、検出区間は無い。
【００５１】
第２情報の検出区間（５Ｔ）７０６では、１回の信号レベルの加算を行う。第２情報の検出区間（８Ｔ）７０６では、４回の信号レベルの加算を行う。図７に示すピットの並び例では、計５回の信号レベルの加算が行われる。
【００５２】
このような加算処理は、追記マークを記録する各所定領域２０５に対して行われる。各所定領域２０５には、前に説明したように、前半部と後半部のどちらに記録マークが存在している。
【００５３】
従って、加算処理は、所定領域２０６の前半部と後半部で個々に行い、各加算値の大小比較を行うことで、前半部と後半部のどちらに記録マークが存在しているかを推定することができ、第２情報として、０が記録されているか、１が記録されているかが判別できる。加算処理を行うことで、１つのレベル差が微小であったとしても、未記録部と記録部をそれぞれ加算することで、レベル差をより確実に検出することが可能になる。  
【００５４】
以上のような加算処理を行うことで、実施の形態１では、傷や埃等で、信号レベルの一部に異常をきたした場合でも、その影響を、相対的に小さくすることができ、１回の信号レベルの差が微小であったとして、より信頼性高い、第２情報の再生が可能になる。
【００５５】
図３は、以上説明した光ディスク１０１から、第１情報及び第２情報を再生する、実施の形態１における光ディスク再生装置の構成図である。
【００５６】
図３において、３０１は光ディスクであり、図１における１０１と同じである。３０２は、光学レンズ及び半導体レーザー等で構成された光ヘッド、３０３は、光ヘッド３０２からの出射光を、ピットとランドで形成されたトラックに追従させるための、トラッキング制御回路、３０４は、ピットとランドが形成された記録面上に、光ヘッド３０２からの出射光を集光させるフォーカス制御回路である。３０５は、光ディスク３０１からの反射光を光電変換したものを増幅して、再生信号３１９を抽出するＲＦアンプ回路、３０６は、再生信号３１９から、クロック成分を抽出し、さらに、２値化を行って２値化データ３２１を生成するＰＬＬ／２値化回路である。３０７は、ＰＬＬ／２値化回路３０６の２値化を行う過程で得られる、各ピット及びランドのエッジ情報から、各ピット及びランド毎の長さ３２０を検出するピット長検出回路である。３０９は、２値化データ３２１をデジタル復調し、復調データ３２１を生成する復調回路、３０８は、２値化データ３２１から、前記したＳＹＮＣマーク等の検出や、復調回路３０９からの復調データ３２１からアドレス情報を抽出し、図２に示す光ディスクフォーマットに同期した、各種タイミング信号３２３を生成するフォーマット制御回路である。３１０は、復調データ３２２を入力とし、媒体の傷や埃等に起因する誤りを訂正して、第１情報３１８を生成する誤り訂正回路である。
【００５７】
３１１は、フォーマット制御回路３０８で生成されたアドレス情報や各種タイミング信号３２３から、追記マークが少なくとも一部に形成されている、所定領域２０５の位置を特定した所定領域位置信号３２４、及びその前半部と後半部を識別するための前後半識別信号３２５を生成する所定領域特定回路である。３１２は、各ピット及びランド毎の長さ３２０から、５Ｔ以上のピットとランドを識別する所定長判別回路である。
【００５８】
３１４は、所定の長さ以上であると判別された、ピット及びまたはランドの中央部を第２情報の検出区間として積算処理を行う積算回路、３１３は、積算回路で行われる積算処理の回数を、所定領域２０５の前半部と後半部毎に計数する積算回数計数回路である。３１５は、積算回路３１４で積算された積算値３２８を２値化し、第２情報３１７を生成する２値化回路である。３２９は、光ディスク再生装置全体を制御する制御ＣＰＵである。
【００５９】
以上のように構成された実施の形態１における光ディスク再生装置の動作を、以下詳細に説明する。
【００６０】
はじめに、第１情報の再生動作を説明する。
【００６１】
光ヘッド３０２から出射された光ビームは、トラッキング制御回路３０３、およびフォーカス制御回路３０４により、光ディスク３０１のピットおよびランドで構成されたトラックに集光され、凹凸形状のピットおよびランドのパターンにより、強度変調された反射光が、光ヘッドに３０２に返る。  反射光は、光ヘッド内の光検出器により、光電変換され、ＲＦアンプ回路３０５に送出される。ＲＦアンプ回路３０５は、アナログ再生信号を増幅すると共に、ＡＤ変換して、再生信号３１９として、ＰＬＬ／２値化回路３０６に送出する。再生信号３１９は、ＰＬＬ／２値化回路３０６によって、クロック信号の生成及び、２値化処理が施される。２値化処理は、公知のＰＲＭＬ信号処理によって行われる。ここでは、ＰＲ（１，２，２，１）等価方式、およびビタビ復号が行われる。
【００６２】
ＰＬＬ／２値化回路３０６によって２値化された、２値化データ３２１は、フォーマット制御回路３０８と、復調回路３０９に送出される。フォーマット制御回路３０８では、２値化データ３２１から、各フレーム先頭に記録されたＳＹＮＣマーク等を検出し、ＳＹＮＣ同期処理を行い、ディスクフォーマットに同期した、各種タイミング信号３２３を生成する。また、フォーマット制御回路３０８は、後述する復調データ３２２を入力し、各セクタに記録されたアドレスを検出し、アドレス同期も行う。
【００６３】
復調回路３０９は、２値化データ３２１をデジタル復調し、復調データ３２２を生成する。ここでは、復調回路３０９は、公知の（１，７）変調の復調処理を行う。
【００６４】
誤り訂正回路３１０は、復調データ３２２を入力とし、媒体の傷や埃等に起因する誤りを訂正して、第１情報３１８を生成する。誤り訂正は、公知の、リードソロモン符号の復号等が用いられる。以上の動作で、第１情報３１８が再生される。
【００６５】
次に、第２情報の再生動作を説明する。
【００６６】
第１情報の再生と同様に、ＲＦアンプ回路３０５によって、増幅、およびＡＤ変換された再生信号３１９は、ＰＬＬ／２値化回路３０６、及び、積算回路３１４に送出される。ＰＬＬ／２値化回路３０６では、前記したように、再生信号３１９の、２値化処理が行われる。この際、ＰＬＬ／２値化回路３０６に内蔵された、ピット長検出回路３０７によって、各ピットの長さが検出される。各ピットの長さは、２値化データ３２１の、各Ｈｉｇｈ区間、あるいはＬｏｗ区間のいずれかの長さ、すなわち、クロック数に相当し、クロック信号の生成および２値化処理の中で、容易に検出することができる。
【００６７】
ピット長検出回路３０７で検出された各ピット長３２０は、所定長判別回路３１２に送出される。所定長判別回路３１２は、所定の長さ以上のピット長を判別し、判別したピットの概中央部を示す、第２情報の検出区間信号３２６を生成する。実施の形態１では、所定の長さは５であり、５クロック以上の長さを有する、各ピットの概中央部が、第２情報の検出区間となる。第２情報の検出区間信号３２６は、積算回数計数回路３１３、および積算回路３１４に送出される。
【００６８】
一方、フォーマット制御回路３０８では、第１情報の再生と同様に、２値化データ３２１、及び復調信号３２２を用いて、ディスクフォーマットに同期した、各種タイミング信号３２３の生成と、各セクタに記録されたアドレスを検出し、アドレス同期を行う。各種タイミング信号３２３、およびアドレス情報、および、ＰＬＬ／２値化回路３０６で生成されたクロック信号等が、所定領域特定回路３１１に送出される。尚、図３では、アドレス情報、およびクロック信号等は省略している。
【００６９】
所定領域特定回路３１１は、各種タイミング信号３２３やアドレス情報から、図２の、追記マークを記録する所定領域２０５の位置を示す、所定領域特定信号３２４と、その前半部を指定する前半部指定信号３２５を生成する。所定領域特定信号３２４、および前半部指定信号３２５は、アドレス情報や、各種タイミング信号３２３、及び、クロック信号から生成される。ここでは、図２に示すように、所定ＥＣＣブロックの、各セクタのフレーム１３の所定位置を指定し、カウンタ等から容易に構成できる。これらの、所定領域特定信号３２４、および前半部指定信号３２５は、積算回路３１４および積算回数計数回路３１３に送出される。
【００７０】
積算回数計数回路３１３では、所定領域特定信号３２４、前半部指定信号３２５、及び第２情報の検出区間信号３２６から、第２情報の検出区間の積算回数を、所定領域の前半部と後半部でそれぞれ計数し、所定領域の前半部と後半部で、第２情報の検出区間の積算回数を等しくするるための、積算回数調整信号３２７を生成する。積算回数調整信号３２７は、例えば、前半部で、合計ｎ回の積算を計数した場合、後半部でも、ｎ回の積算を計数するまで、ｈｉｇｈとなる信号である。
【００７１】
積算回路３１４は、所定領域特定信号３２４、前半部指定信号３２５、第２情報の検出区間信号３２６、および、積算回数調整信号３２７で指定される、所定領域の前半部と後半部の、再生信号３１９を、それぞれ積算する。
【００７２】
図９、及び図１０は、積算回数計数回路３１３と積算回路３１４の動作を詳細に説明するための、ピットパターンと制御信号の例のタイミング図である。
【００７３】
図９は、所定領域の前半部、図１０は、所定領域の後半部であり、図９の９１５と図１０の１００９が同一箇所である。また、図９の前半部に、追記マークが記録されている。
【００７４】
図９において、９０１は追記マークであり、９０２は５Ｔピット、９０３は、２Ｔピット、９０４は４Ｔピット、９０５は８Ｔピット、９０６は２Ｔピットである。また、９０７は８Ｔピット９０５の第２情報の検出区間であり、８Ｔピット９０５の中央部に４Ｔの幅を有する。９０８は、５Ｔピット９０２の中央部の１Ｔ幅を有する。
【００７５】
図１０において、１００２は６Ｔピット、１００３は、２Ｔピット、１００４は４Ｔピット、１００５は７Ｔピット、１００６は２Ｔピットである。また、１００７は７Ｔピット１００５の第２情報の検出区間であり、７Ｔピット１００５の中央部に３Ｔの幅を有する。１００８は、６Ｔピット１００２の第２情報の検出区間であり、６Ｔピット１００２の中央部の２Ｔ幅を有する。
【００７６】
図９及び図１０において、ａは、所定領域特定信号であり、図３の３２４と同じであり、追記マークが、前半部あるいは後半部のいずれかに記録される所定領域を識別する信号である。所定領域特定信号ａは、所定領域の開始点９０９でＨｉｇｈになり、終了点１０１５でＬｏｗになる。
【００７７】
ｂは、前半部指定信号であり、図３の３２５と同じであり、所定領域の前半部と後半部を識別する信号である。前半部指定信号ｂは、所定領域の開始点９０９でＨｉｇｈになり、前半部の終了点９１５、すなわち後半部の開始点１００９でＬｏｗになる。
【００７８】
ｃは、第２情報の検出区間信号であり、図３の３２６と同じであり、５Ｔ以上の各ピットの中央部でＨｉｇｈになる。第２情報の検出区間信号ｃは、５Ｔピット９０２の中央部で１Ｔ期間、８Ｔピット９０５の中央部で、４Ｔ期間ｈｉｇｈになる。また、６Ｔピット１００２の  中央部で２Ｔ期間、７Ｔピット１００５の中央部で、３Ｔ期間それぞれＨｉｇｈになる。
【００７９】
ここでは、簡単のために、前半部と後半部でそれぞれ３回の積算を行う例を示す。ｄは、積算回数調整信号であり、図３の３２７と同じであり、前半部と後半部の積算回数を一致させるために用いられる。積算回数調整信号ｄは、第２情報の検出区間信号ｃのｈｉｇｈ区間が、前半部及び後半部でそれぞれ、合計３になるまで、ｈｉｇｈとなる。前半部では、９１０でｈｉｇｈとなり、９１１でＬｏｗになり、１期間のｈｉｇｈとなる。次に、９１２でｈｉｇｈとなり、９１３でｌｏｗになり、２期間のｈｉｇｈ、すなわち、計３期間のｈｉｇｈとなる。後半部では、１０１０でｈｉｇｈとなり、１０１１でＬｏｗになり、２期間のｈｉｇｈとなる。次に、１０１２でｈｉｇｈとなり、１０１３でｌｏｗになり、１期間のｈｉｇｈ、すなわち、計３期間のｈｉｇｈとなる。前半部と後半部で、各々、計３期間のｈｉｇｈとなり、この３区間の、再生信号レベルを積算することで、第２情報を検出する。前半部と後半部で、積算回数を一致させることで、より正確な積算結果の比較を行うことが可能になる。
【００８０】
積算回数調整信号ｄ、すなわち図３の３２７は、積算回数計数回路３１３で生成される。積算回数計数回路３１３は、カウンタ等で容易に構成できる。
【００８１】
積算回路３１４は、積算回数調整信号ｃのｈｉｇｈ期間のみを、前半部と後半部でそれぞれ、再生信号３１９を、積算する。積算回路３１４は、前半部と後半部用の２つの加算器と、所定領域特定信号３２４、前半部指定信号３２５、第２情報の検出区間信号３２６、および、積算回数調整信号３２７をゲート信号に用いる。さらに、２個の加算器の加算結果の差を計算して、積算結果３２８を出力する。尚、積算回路３１４は、前半部で加算、後半部で減算処理を行うことで、各加算結果の大小関係を導出する構成にしても構わない。
【００８２】
２値化回路３１５は、積算結果３２８を２値化して、第２情報を再生する。積算結果３２８が、正の値か、負の値かに対応して、０、あるいは１に２値化する。
【００８３】
例えば、図９、及び図１０に示したように前半部に追記マークが記録されている場合、前半部の加算結果−後半部の加算結果は、正になり、第２情報の再生結果を１とし、逆に、後半部に追記マークが記録されている場合、前半部の加算結果−後半部の加算結果は、負となり、第２情報の再生結果は０として、第２情報の再生を行うことができる。
【００８４】
以上説明したように、実施の形態１では、所定領域内に含まれる、複数のピット部の、個々の長さを検出し、検出された各ピット長が、所定の長さ以上であることを判別し、所定の長さ以上であると判別された、ピットの概中央部を第２情報の検出区間として、第２情報を再生する。５Ｔより長いピットの概中央部を第２情報の検出区間とすることで、再生波形の信号レベルが一定となる安定区間のみを、第２情報の信号検出に用いることができ、微小な反射率変化により追記マークを記録した場合でも、第２情報の検出を、信頼性高く、安定して行うことができる。
【００８５】
さらに、実施の形態１では、所定の領域の前半部、および後半部ごとに、前記第２情報検出区間からの再生信号の再生信号レベルを積算し、各々の大小関係に基づいて、第２情報を再生し、さらに、第２情報検出区間の積算回数を計数する積算回数計数回路によって、積算する回数を所定の領域の前半部と後半部で等しくすることができ、より安定した、信頼性の高い第２情報の再生が可能となっている。
【００８６】
尚、以上説明した、実施の形態１では、ピット部の再生信号のみを積算処理に用いたが、ランド部のみ、あるいは、ピットとランドの両方を用いて、第２情報の検出を行っても構わない。
【００８７】
（実施の形態２）
図８は、本発明の実施の形態２における光ディスク再生方法の構成を示す、構成図である。尚、実施の形態２の光ディスク再生方法２で用いられる光ディスクの説明は、実施の形態１で説明したものと同じであるので、ここでは省略する。
【００８８】
図８において、８０１は光ディスクであり、図１における１０１と同じである。８０２は、光学レンズ及び半導体レーザー等で構成された光ヘッド、８１２は、光ヘッド８０２からの出射光を、ピットとランドで形成されたトラックに追従させるための、トラッキング制御ステップ、８２４は、ピットとランドが形成された記録面上に、光ヘッド８０２からの出射光を集光させるフォーカス制御ステップである。８０３は、光ディスク８０１からの反射光を光電変換したものを増幅して、再生信号８１６を抽出する再生信号抽出ステップ、８０４は、再生信号８１６から、クロック成分を抽出し、さらに、２値化を行って２値化データ８１７を生成するＰＬＬ／２値化ステップである。８０５は、ＰＬＬ／２値化ステップ８０４の２値化を行う過程で得られる、各ピット及びランドのエッジ情報から、各ピット及びランド毎の長さ８２３を検出するピット長検出ステップである。８０７は、２値化データ８１７をデジタル復調し、さらに、媒体の傷や埃等に起因する誤りを訂正して、第１情報８１３を生成する第１情報再生ステップである。８０６は、２値化データ８１７から、前記したＳＹＮＣマーク等の検出やアドレス情報を抽出し、図２に示す光ディスクフォーマットに同期した、各種タイミング信号８１８を生成するフォーマット制御ステップである。
【００８９】
８０８は、フォーマット制御ステップ８０６で生成された図示しないアドレス情報や、各種タイミング信号８１８から、追記マークが少なくとも一部に形成されている、所定領域２０５の位置を特定した所定領域位置信号８２０、及びその前半部と後半部を識別するための前後半識別信号８１９を生成する所定領域特定ステップである。８０９は、各ピット及びランド毎の長さ８２３から、５Ｔ以上のピットとランドを識別する所定長判別ステップである。
【００９０】
８１１は、所定の長さ以上であると判別された、ピット及びまたはランドの中央部を第２情報の検出区間として積算処理を行うことにより、第２情報を再生する第２情報再生ステップ、８１０は、第２情報再生ステップ８１１で行われる積算処理の回数を、所定領域２０５の前半部と後半部毎に計数する積算回数計数ステップである。
【００９１】
以上のように構成された実施の形態２における光ディスク再生方法の動作を、以下詳細に説明する。
【００９２】
はじめに、第１情報の再生動作を説明する。
【００９３】
光ヘッド８０２から出射された光ビームは、トラッキング制御ステップ８１２、およびフォーカス制御ステップ８２４により、光ディスク８０１のピットおよびランドで構成されたトラックに集光され、凹凸形状のピットおよびランドのパターンにより、強度変調された反射光が、光ヘッドに８０２に返る。  反射光は、光ヘッド内の光検出器により、光電変換され、再生信号抽出ステップ８０３に送出される。再生信号抽出ステップ８０３は、アナログ再生信号を増幅すると共に、ＡＤ変換して、再生信号８１６として、ＰＬＬ／２値化ステップ８０４に送出する。再生信号８１６は、ＰＬＬ／２値化ステップ８０４によって、クロック信号の生成及び、２値化処理が施される。２値化処理は、公知のＰＲＭＬ信号処理によって行われる。ここでは、ＰＲ（１，２，２，１）等価方式、およびビタビ復号が行われる。
【００９４】
ＰＬＬ／２値化ステップ８０４によって２値化された、２値化データ８１７は、フォーマット制御ステップ８０６と、第１情報再生ステップ８０７に送出される。フォーマット制御ステップ８０６では、２値化データ８１７から、各フレーム先頭に記録されたＳＹＮＣマーク等を検出し、ＳＹＮＣ同期処理を行い、ディスクフォーマットに同期した、各種タイミング信号８１８を生成する。また、フォーマット制御ステップ８０６は、各セクタに記録されたアドレスを検出し、アドレス同期も行う。
【００９５】
第１情報再生ステップ８０７は、２値化データ８１７をデジタル復調し、さらに、媒体の傷や埃等に起因する誤りを訂正して、第１情報８１３を生成する。以上の動作で、第１情報８１３が再生される。
【００９６】
次に、第２情報の再生動作を説明する。
【００９７】
第１情報の再生と同様に、再生信号抽出ステップ８０３によって、増幅、およびＡＤ変換された再生信号８１６は、ＰＬＬ／２値化ステップ８０４、及び、第２情報再生ステップ８１１に送出される。ＰＬＬ／２値化ステップ８０４では、前記したように、再生信号８１６の、２値化処理が行われる。この際、ＰＬＬ／２値化回路ステップ８０４に含まれた、ピット長検出ステップ８０５によって、各ピットの長さが検出される。
【００９８】
各ピットの長さは、２値化データ８１７の、各Ｈｉｇｈ区間、あるいはＬｏｗ区間のいずれかの長さ、すなわち、クロック数に相当し、クロック信号の生成および２値化処理の中で、容易に検出することができる。
【００９９】
ピット長検出ステップ８０５で検出された各ピット長８２３は、所定長判別ステップ８０９に送出される。所定長判別ステップ８０９は、所定の長さ以上のピット長を判別し、判別したピットの概中央部を示す、第２情報の検出区間信号８２１を生成する。実施の形態２では、所定の長さは５であり、５クロック以上の長さを有する、各ピットの概中央部が、第２情報の検出区間となる。第２情報の検出区間信号８２１は、積算回数計数ステップ８１０、および第２情報再生ステップ８１１に送出される。
【０１００】
一方、フォーマット制御ステップ８０６では、第１情報の再生と同様に、２値化データ８１７から、ディスクフォーマットに同期した、各種タイミング信号８１８の生成と、各セクタに記録されたアドレスを検出し、アドレス同期を行う。各種タイミング信号８１８、およびアドレス情報、および、ＰＬＬ／２値化ステップ８０４で生成されたクロック信号等が、所定領域特定ステップ８０８に送出される。尚、図８では、アドレス情報、およびクロック信号等は省略している。
【０１０１】
所定領域特定ステップ８０８は、各種タイミング信号８１８やアドレス情報から、図２の、追記マークを記録する所定領域２０５の位置を示す、所定領域特定信号８２０と、その前半部を指定する前半部指定信号８１９を生成する。所定領域特定信号８２０、および前半部指定信号８１９は、図２に示す所定ＥＣＣブロックの、各セクタのフレーム１３の所定位置を指定し、カウンタ等から容易に構成できる。これらの、所定領域特定信号８２０、および前半部指定信号８１９は、第２情報再生ステップ８１４、および積算回数計数ステップ８１０に送出される。
【０１０２】
積算回数計数ステップ８１０では、所定領域特定信号８２０、前半部指定信号８１９、及び第２情報の検出区間信号３２１から、第２情報の検出区間の積算回数を、所定領域の前半部と後半部でそれぞれ計数し、所定領域の前半部と後半部で、第２情報の検出区間の積算回数を等しくするるための、積算回数調整信号８２２を生成する。積算回数調整信号８２２は、例えば、前半部で、合計ｎ回の積算を計数した場合、後半部でも、ｎ回の積算を計数するまで、Ｈｉｇｈとなる信号である。
【０１０３】
第２情報再生ステップ８１１は、所定領域特定信号８２０、前半部指定信号８１９、第２情報の検出区間信号８２１、および、積算回数調整信号８２２で指定される、所定領域の前半部と後半部の、再生信号８１６を、それぞれ積算し、その大小関係から、第２情報を再生する。積算処理の詳細は、実施１の形態１の図９、図１０で説明したものと同等であるので、ここでは省略する。
【０１０４】
第２情報再生ステップ８１１は、積算回数調整信号８２２のｈｉｇｈ期間のみを、前半部と後半部でそれぞれ、再生信号８１６を、積算する。第２情報再生ステップ８１１は、前半部と後半部用の２つの加算器と、所定領域特定信号８２０、前半部指定信号８１９、第２情報の検出区間信号８２１、および、積算回数調整信号８２２をゲート信号に用いる。さらに、２個の加算器の加算結果の大小関係から、第２情報８１４を再生する。
【０１０５】
例えば、図９、及び図１０に示したように前半部に追記マークが記録されている場合、前半部の加算結果−後半部の加算結果は、正になり、第２情報の再生結果を１とし、逆に、後半部に追記マークが記録されている場合、前半部の加算結果−後半部の加算結果は、負となり、第２情報の再生結果は０として、第２情報の再生を行うことができる。
【０１０６】
以上説明したように、実施の形態２では、所定領域内に含まれる、複数のピット部の、個々の長さを検出し、検出された各ピット長が、所定の長さ以上であることを判別し、所定の長さ以上であると判別された、ピットの概中央部を第２情報の検出区間として、第２情報を再生する。信号レベルが一定となる安定区間のみを、第２情報の検出区間として、第２情報の信号検出に用いる。安定区間では、未記録の場合も追記マークが記録された場合も、その信号レベルは、各々一定となっているため、それぞれの信号レベルを、より安定して行うことができ、信頼性の高い第２情報の再生が可能になっている。
【０１０７】
さらに、実施の形態２では、所定の領域の前半部、および後半部ごとに、前記第２情報検出区間からの再生信号の再生信号レベルを積算し、各々の大小関係に基づいて、第２情報を再生することで、より信頼性の高い第２情報の再生が可能となっている。
【０１０８】
尚、以上の実施の形態２では、ピット部の再生信号のみを積算処理に用いたが、ランド部のみ、あるいは両方を用いても構わない。 
【産業上の利用可能性】
【０１０９】
本発明に係る光ディスク再生装置、および光ディスク再生方法は、光ディスクの製造に要するコストを増大させることなく、かつ主情報の読み取り精度を悪化させることなく副情報を記録し、かつ、副情報自体の再生を、信頼性が高く、安定した読み取りを可能にすることができ、光ディスクの不正な複製を防止することができる。
【符号の説明】
【０１１０】
１０２，２０６，２０７，４０５，９０１    追記マーク
２０５    所定領域
３０７    ピット長検出回路
３１１    所定領域特定回路
３１２    所定長判別回路
３１３    積算回数計数回路
３１４    積算回路
４０１，４０３    ピット
４０２，４０４    ランド
６０３，６０４，７０６，７０７，９０７，９０８，１００７，１００８    第２情報の検出区間
８０５    ピット長検出ステップ
８０７    第１情報再生ステップ
８０８    所定領域特定ステップ
８０９    所定長判別ステップ
８１０    積算回数計数ステップ
８１１    第２情報再生ステップ
【図１】
2011198401.tif 000003
【図２】
2011198401.tif 000004
【図３】
2011198401.tif 000005
【図４】
2011198401.tif 000006
【図５】
2011198401.tif 000007
【図６】
2011198401.tif 000008
【図７】
2011198401.tif 000009
【図８】
2011198401.tif 000010
【図９】
2011198401.tif 000011
【図１０】
2011198401.tif 000012